(57)【要約】【課題】ＣＳＦＢ非対応の移動通信システムにおいて、音声通話サービスを適切に受けることができる移動通信端末を提供する。【解決手段】両移動通信網２００，３００それぞれで位置登録するための位置登録要求を３．９Ｇ網３００に対して行う位置登録要求部１２０と、この位置登録要求に応じた両移動通信網２００，３００での位置登録の結果を示す位置登録応答を受ける位置登録応答受け部１３０と、この位置登録応答に基づいて、両移動通信網２００，３００のうち３．９Ｇ網３００のみで位置登録が完了したか否かを判断する位置登録判断部１４０と、３．９Ｇ網３００のみで位置登録が完了したと位置登録判断部１４０で判断された場合、移動通信端末１００が２Ｇ／３Ｇ網２００に在圏するように移動通信網の切替制御を行う第１移動通信網切替制御部１５０と、を備える。【選択図】図４
2010063151.tif 000002
【特許請求の範囲】
【請求項１】
データ通信及び音声通話を行うことができる第１移動通信網及び該第１移動通信網より高速なデータ通信を行うことができる第２移動通信網の両移動通信網に選択的に在圏可能とされ、データ通信を行う場合には前記第２移動通信網に優先的に在圏するように設定されると共に音声通話を行う場合には前記第１移動通信網に在圏するように移動通信網を切替えられる移動通信端末であって、
前記第２移動通信網から当該第２移動通信網の機能を示す網情報を受信する受信手段と、
前記受信手段で受信した前記網情報に基づいて、前記第２移動通信網が、当該第２移動通信網に在圏中に音声通話の呼出があった場合には前記第１移動通信網に在圏するように移動通信網を切替えられる切替可能移動通信網であるか否かを判断する切替可能判断手段と、
前記第２移動通信網が前記切替可能移動通信網でないと前記切替可能判断手段で判断された場合、前記移動通信端末が前記第１移動通信網に在圏するように移動通信網の切替制御を行うことができる第１移動通信網切替制御手段と、
を備えることを特徴とする移動通信端末。
【請求項２】
前記両移動通信網それぞれで位置登録するための位置登録要求を前記第２移動通信網に対して行う位置登録要求手段を更に備え、
前記受信手段は、前記位置登録要求手段による前記位置登録要求に応じた前記両移動通信網での位置登録の結果を示す位置登録応答を前記網情報として受信し、
前記切替可能判断手段は、前記受信手段で受信した前記位置登録応答が前記両移動通信網のうち前記第２移動通信網のみで位置登録が完了したことを示す場合には、前記第２移動通信網が前記切替可能移動通信網でないと判断することを特徴とする請求項１に記載の移動通信端末。
【請求項３】
前記受信手段は、前記網情報である報知情報を前記第２移動通信網から受信し、
前記切替可能判断手段は、前記受信手段で受信した前記報知情報に基づいて、前記第２移動通信網が前記切替可能移動通信網であるか否かを判断することを特徴とする請求項１に記載の移動通信端末。
【請求項４】
前記第２移動通信網が前記切替可能移動通信網でないとの前記切替可能判断手段による判断を前記移動通信端末の使用者に対して通知する通知手段と、
前記通知手段による通知に応じて、前記移動通信端末が前記第１移動通信網に在圏するように移動通信網の切替制御を行うか否かの入力を受け付ける入力受付手段と、を備え、
前記第１移動通信網切替制御手段は、前記移動通信端末が前記第１移動通信網に在圏するように移動通信網の切替制御を行うとの入力を前記入力受付手段で受け付けた場合、前記移動通信端末が前記第１移動通信網に在圏するように移動通信網の切替制御を行うことを特徴とする請求項１〜３のうちのいずれか一項に記載の移動通信端末。
【請求項５】
前記第１移動通信網切替制御手段の切替制御によって前記移動通信端末が前記第１移動通信網に在圏する際、前記移動通信端末が前記第２移動通信網に在圏することを禁止する在圏禁止手段を備えることを特徴とする請求項１〜４のうちのいずれか一項に記載の移動通信端末。
【請求項６】
前記第１移動通信網から前記第２移動通信網への切替指示信号を前記第１移動通信網から受信して、前記切替指示信号に基づいて前記移動通信端末が前記第２移動通信網に在圏するように移動通信網の切替制御を行う第２移動通信網切替制御手段を更に備え、
前記在圏禁止手段は、前記第２移動通信網切替制御手段で受信した前記切替指示信号を前記第２移動通信網切替制御手段で移動通信網の切替制御を行う前に破棄させる切替指示信号破棄手段を備えることを特徴とする請求項５に記載の移動通信端末。
【請求項７】
前記切替可能判断手段で前記第２移動通信網が前記切替可能移動通信網でないと判断された場合に、前記移動通信端末が有する前記第２移動通信網を用いた通信機能をオフに切替えることができる通信機能切替手段を備えることを特徴とする請求項１〜６のうちのいずれか一項に記載の移動通信端末。
【請求項８】
データ通信及び音声通話を行うことができる第１移動通信網及び該第１移動通信網より高速なデータ通信を行うことができる第２移動通信網の両移動通信網に選択的に在圏可能とされ、データ通信を行う場合には前記第２移動通信網に優先的に在圏するように設定されると共に音声通話を行う場合には前記第１移動通信網に在圏するように移動通信網を切替えられる移動通信端末であって、
前記両移動通信網それぞれで位置登録するための位置登録要求を前記第２移動通信網に対して行う位置登録要求手段と、
前記位置登録要求手段による前記位置登録要求に応じた前記両移動通信網での位置登録の結果を示す位置登録応答を受ける位置登録応答受け手段と、
前記位置登録応答受け手段で受けた前記位置登録応答に基づいて、前記両移動通信網のうち前記第２移動通信網のみで位置登録が完了したか否かを判断する位置登録判断手段と、
前記第２移動通信網のみで位置登録が完了したと前記位置登録判断手段で判断された場合、前記移動通信端末が前記第１移動通信網に在圏するように移動通信網の切替制御を行うことができる第１移動通信網切替制御手段と、
を備えることを特徴とする移動通信端末。
【発明の詳細な説明】
【技術分野】
【０００１】
本発明は、２つの移動通信網に在圏できる移動通信端末に関する。
【背景技術】
【０００２】
従来の移動通信網として、ＧＥＲＡＮといった２Ｇ（2nd Generation）網やＵＴＲＡＮといった３Ｇ（3rd Generation）網がある。この従来の２Ｇ／３Ｇ網では、音声通話やデータ通信の両サービスを取り扱っているが、より高速のデータ通信を実現するため、Ｅ−ＵＴＲＡＮといった３．９Ｇ（3.9 Generation）網が検討されている。この３．９Ｇ網では、高速なデータ通信サービスを提供することを主目的としていることから、３．９Ｇ網に在圏する移動通信端末に音声通話サービスの呼び出しが行われて音声通話を行うためには、図９に示すように、ネットワークから音声着信の呼び出しがあった場合（図９のＳ９０１）、移動通信端末が在圏する移動通信網を３．９Ｇ網から２Ｇ／３Ｇ網へと遷移させた（図９のＳ９０２）後、２Ｇ／３Ｇ網を経由して音声着信への応答をネットワークに対して行い（図９のＳ９０３）、２Ｇ／３Ｇ網を利用した音声通話サービスを受ける必要がある（図９のＳ９０４）。このような移動通信網の切替は、ＣＳ(Circuit Switched) ｆａｌｌｂａｃｋと呼ばれ（非特許文献１）、ＣＳｆａｌｌｂａｃｋに対応した移動通信端末が開発されている。
【先行技術文献】
【非特許文献】
【０００３】
【非特許文献１】3GPP Specification detail，3GPP TS 23.272，Circuit Switched (CS) fallback in Evolved Packet System (EPS); Stage2
【発明の概要】
【発明が解決しようとする課題】
【０００４】
ところで、ＣＳ ｆａｌｌｂａｃｋが行われるためには、２Ｇ／３Ｇ網を制御するＭＳＣ／ＶＬＲ（Mobile Switching Center/Visited Location Register）と３．９Ｇ網を制御するＭＭＥ（MobilityManagement Entry）とが互いに対応するように接続されている必要がある（図１参照）。しかしながら、日常的に移動通信を行っている地域から異なる地域（例えば外国）に移動してローミングするような場合、移動通信を行う地域によっては、例えば２Ｇ／３Ｇ網と３．９Ｇ網とが同じ加入者収容局により管理されているものの、２Ｇ／３Ｇ網を制御するＭＳＣ／ＶＬＲと３．９Ｇ網を制御するＭＭＥとが互いに対応するように接続されておらず、別々に管理され、ＣＳｆａｌｌｂａｃｋに対応していない場合がある（図２参照）。このような場合、ＣＳｆａｌｌｂａｃｋに対応した移動通信端末では優先的に３．９Ｇ網のＥ−ＵＴＲＡＮのみに在圏するようにされ、音声着信があったとしても、ＣＳｆａｌｌｂａｃｋのように２Ｇ／３Ｇ網へと遷移されずに３．９Ｇ網に在圏したままとなり、音声通話サービスを受けることができないおそれがあった。
【０００５】
本発明は、以上の問題点を解決するためになされたものであり、ＣＳｆａｌｌｂａｃｋ非対応のように音声通話サービスが受けられない場合もある移動通信網において、音声通話サービスを適切に受けることができる移動通信端末を提供することを目的とする。
【課題を解決するための手段】
【０００６】
上記目的を達成するために、本発明に係る移動通信端末は、データ通信及び音声通話を行うことができる第１移動通信網及び該第１移動通信網より高速なデータ通信を行うことができる第２移動通信網の両移動通信網に選択的に在圏可能とされ、データ通信を行う場合には第２移動通信網に優先的に在圏するように設定されると共に音声通話を行う場合には第１移動通信網に在圏するように移動通信網を切替えられる移動通信端末であって、第２移動通信網から当該第２移動通信網の機能を示す網情報を受信する受信手段と、受信手段で受信した網情報に基づいて、第２移動通信網が、第２移動通信網に在圏中に音声通話の呼出があった場合には第１移動通信網に在圏するように移動通信網を切替えられる切替可能移動通信網であるか否かを判断する切替可能判断手段と、第２移動通信網が切替可能移動通信網でないと切替可能判断手段で判断された場合、移動通信端末が第１移動通信網に在圏するように移動通信網の切替制御を行うことができる第１移動通信網切替制御手段と、を備えることを特徴とする。
【０００７】
この構成により、第１移動通信網切替制御手段は、移動通信端末が第１移動通信網に在圏するように移動通信網の切替制御を行う。このような切替制御により、データ通信を行う際などに優先的に位置登録される第２移動通信網への在圏ではなくて、その時点では位置登録されていない第１移動通信網へ在圏するように移動通信網の切替えを行うことができ、移動通信端末は、データ通信だけでなくて音声通話を行うこともできる。すなわち、ＣＳｆａｌｌｂａｃｋ非対応のように音声通話サービスが受けられない場合もある移動通信網において、例えば、ＣＳｆａｌｌｂａｃｋ対応の移動通信端末で音声通話サービスを適切に受けることができる。なお、第１移動通信網切替手段による移動通信網の切替制御は、第２移動通信網が切替可能移動通信網でないと切替可能判断手段で判断された場合に自動的に行われるようにしてもよいし、また、第２移動通信網が切替可能移動通信網でないと切替可能判断手段で判断されたことを受けて移動通信端末の使用者が切替えるといった選択を行なった場合に行われるようにしてもよい。
【０００８】
また、両移動通信網それぞれで位置登録するための位置登録要求を第２移動通信網に対して行う位置登録要求手段を更に備え、受信手段は、位置登録要求手段による位置登録要求に応じた両移動通信網での位置登録の結果を示す位置登録応答を網情報として受信し、切替可能判断手段は、受信手段で受信した位置登録応答が両移動通信網のうち第２移動通信網のみで位置登録が完了したことを示す場合には、第２移動通信網が切替可能移動通信網でないと判断するようにしてもよい。切替可能判断手段は、網情報として受信された位置登録応答に基づいて第２移動通信網が切替可能移動通信網であるか否かを判断することから、位置登録応答といった既存の情報を利用して第２移動通信網が切替可能移動通信網であるか否か、例えばＣＳｆａｌｌｂａｃｋ対応の移動通信網であるか否かを簡単に判別できる。
【０００９】
また、受信手段は、網情報である報知情報を第２移動通信網から受信し、切替可能判断手段は、受信手段で受信した報知情報に基づいて、第２移動通信網が切替可能移動通信網であるか否かを判断するようにしてもよい。切替可能判断手段は、網情報として受信された報知情報に基づいて第２移動通信網が切替可能移動通信網であるか否かを判断することから、報知情報といった既存の情報配信を利用して第２移動通信網が切替可能移動通信網であるか否か、例えばＣＳｆａｌｌｂａｃｋ対応の移動通信網であるか否かを簡単に早く判別できる。
【００１０】
また、第２移動通信網が切替可能移動通信網でないとの切替可能判断手段による判断を移動通信端末の使用者に対して通知する通知手段と、通知手段による通知に応じて、移動通信端末が第１移動通信網に在圏するように移動通信網の切替制御を行うか否かの入力を受け付ける入力受付手段とを備え、第１移動通信網切替制御手段は、移動通信端末が第１移動通信網に在圏するように移動通信網の切替制御を行うとの入力を入力受付手段で受け付けた場合、移動通信端末が第１移動通信網に在圏するように移動通信網の切替制御を行うようにしてもよい。これにより、移動通信端末の第１移動通信網への切替を、移動通信端末の使用者に選択させることができる。
【００１１】
また、第１移動通信網切替制御手段の切替制御によって移動通信端末が第１移動通信網に在圏する際、移動通信端末が第２移動通信網に在圏することを禁止する在圏禁止手段を備えるようにしてもよい。在圏禁止手段を備えることにより、第１移動通信網に在圏する移動通信端末を、音声通話を行えない第２移動通信網に在圏させないようにすることができる。その結果、ＣＳｆａｌｌｂａｃｋ非対応のような移動通信網において、データ通信及び音声通話を行うことができる第１移動通信網への移動通信端末の在圏を継続させることができ、ＣＳｆａｌｌｂａｃｋ対応の移動通信端末で音声通話サービスを継続して受けることができる。この在圏禁止手段による第１移動通信網への在圏の継続は、第１移動通信網から第２移動通信網への切替指示信号を第１移動通信網から受信して、この切替指示信号に基づいて移動通信端末が第２移動通信網に在圏するように移動通信網の切替制御を行う第２移動通信網切替制御手段を備える移動通信端末において、在圏禁止手段が、第２移動通信網切替制御手段で受信した切替指示信号を第２移動通信網切替制御手段で移動通信網の切替制御を行う前に破棄させる切替指示信号破棄手段を備えることにより、確実に実行される。
【００１２】
また、切替可能判断手段で第２移動通信網が切替可能移動通信網でないと判断された場合に、移動通信端末が有する第２移動通信網を用いた通信機能をオフに切替えることができる通信機能切替手段を備えるようにしてもよい。通信機能切替手段を備えることにより、移動通信端末が有する第２移動通信網を用いた通信機能をオフにさせて、第１移動通信網から第２移動通信網への切替指示信号の受信を停止させることができる。この結果、ＣＳｆａｌｌｂａｃｋ非対応のような移動通信網において、データ通信及び音声通話を行うことができる第１移動通信網への移動通信端末の在圏を安定的に継続させることができ、ＣＳｆａｌｌｂａｃｋ対応の移動通信端末で音声通話サービスを継続して安定的に受けることができる。
【００１３】
また、本発明に係る移動通信端末は、データ通信及び音声通話を行うことができる第１移動通信網及び該第１移動通信網より高速なデータ通信を行うことができる第２移動通信網の両移動通信網に選択的に在圏可能とされ、データ通信を行う場合には第２移動通信網に優先的に在圏するように設定されると共に音声通話を行う場合には第１移動通信網に在圏するように移動通信網を切替えられる移動通信端末であって、両移動通信網それぞれで位置登録するための位置登録要求を第２移動通信網に対して行う位置登録要求手段と、位置登録要求手段による位置登録要求に応じた両移動通信網での位置登録の結果を示す位置登録応答を受ける位置登録応答受け手段と、位置登録応答受け手段で受けた位置登録応答に基づいて、両移動通信網のうち第２移動通信網のみで位置登録が完了したか否かを判断する位置登録判断手段と、第２移動通信網のみで位置登録が完了したと位置登録判断手段で判断された場合、移動通信端末が第１移動通信網に在圏するように移動通信網の切替制御を行うことができる第１移動通信網切替制御手段と、を備えることを特徴とする。
【００１４】
この構成により、第１移動通信網切替制御手段は、移動通信端末が第１移動通信網に在圏するように移動通信網の切替制御を行う。このような切替制御により、データ通信を行う際などに優先的に位置登録される第２移動通信網への在圏ではなくて、その時点では位置登録されていない第１移動通信網へ在圏するように移動通信網の切替えを行うことができ、移動通信端末は、データ通信だけでなくて音声通話を行うこともできる。すなわち、ＣＳｆａｌｌｂａｃｋ非対応のように音声通話サービスが受けられない場合もある移動通信網において、例えば、ＣＳｆａｌｌｂａｃｋ対応の移動通信端末で音声通話サービスを適切に受けることができる。なお、第１移動通信網切替手段による移動通信網の切替制御は、第２移動通信網のみで位置登録が完了したと位置登録判断手段で判断された場合に自動的に行なわれるようにしてもよいし、また、第２移動通信網のみで位置登録が完了したと位置登録判断手段で判断されたことを受けて移動通信端末の使用者が切替えるといった選択を行った場合に行われるようにしてもよい。
【００１５】
また、第２移動通信網のみで位置登録が完了したとの位置登録判断手段による判断を移動通信端末の使用者に対して通知する通知手段と、通知手段による通知に応じて、移動通信端末が第１移動通信網に在圏するように移動通信網の切替制御を行うか否かの入力を受け付ける入力受付手段とを備え、第１移動通信網切替制御手段は、移動通信端末が第１移動通信網に在圏するように移動通信網の切替制御を行うとの入力を入力受付手段で受け付けた場合、移動通信端末が第１移動通信網に在圏するように移動通信網の切替制御を行うようにしてもよい。これにより、移動通信端末の第１移動通信網への切替を、移動通信端末の使用者に選択させることができる。
【００１６】
また、位置登録判断手段で第２移動通信網のみで位置登録が完了したと判断された場合に、移動通信端末が有する第２移動通信網を用いた通信機能をオフに切替えることができる通信機能切替手段を備えるようにしてもよい。通信機能切替手段を備えることにより、移動通信端末が有する第２移動通信網を用いた通信機能をオフにさせて、第１移動通信網から第２移動通信網への切替指示信号の受信を停止させることができる。この結果、ＣＳｆａｌｌｂａｃｋ非対応のような移動通信網において、データ通信及び音声通話を行うことができる第１移動通信網への移動通信端末の在圏を安定的に継続させることができ、ＣＳｆａｌｌｂａｃｋ対応の移動通信端末で音声通話サービスを継続して安定的に受けることができる。
【発明の効果】
【００１７】
本発明によれば、ＣＳ ｆａｌｌｂａｃｋ非対応のように音声通話サービスが受けられない場合もある移動通信網において、音声通話サービスを適切に受けることができる。
【図面の簡単な説明】
【００１８】
【図１】第１実施形態に係るＣＳ ｆａｌｌｂａｃｋ（以下、「ＣＳＦＢ」と記す）対応の移動通信網を示す構成概要図である。
【図２】第１実施形態に係るＣＳＦＢ非対応の移動通信網を示す構成概要図である。
【図３】移動通信端末のハードウェア構成を示す図である。
【図４】第１実施形態に係る移動通信端末の構成概要図である。
【図５】事業者とＣＳＦＢの対応状況とのデータを示す図である。
【図６】第１実施形態に係る移動通信端末のモード設定を行う設定手順を示すフローチャートである。
【図７】第２実施形態に係る移動通信端末の構成概要図である。
【図８】第２実施形態に係る移動通信端末のモード設定を行う設定手順を示すフローチャートである。
【図９】ＣＳＦＢの動作を示す構成概要図である。
【発明を実施するための形態】
【００１９】
本発明の実施形態に係る移動通信端末は、ＣＳＦＢ対応の移動通信端末１００である。まず、この移動通信端末１００で音声通話サービスやデータ通信サービスの提供を受けるための移動通信網について、図１及び図２を参照して説明する。図１は、ＣＳＦＢ対応の移動通信網を示す構成概要図である。図２は、ＣＳＦＢ非対応の移動通信網を示す構成概要図である。なお、可能な場合には、同一の部分には同一の符号を付して、重複する説明を省略する。
【００２０】
［第１実施形態］
まず、ＣＳＦＢ対応の移動通信システム１Ａについて説明する。図１に示されるように、ＣＳＦＢ対応の移動通信システム１Ａは、ＧＥＲＡＮやＵＴＲＡＮといった２Ｇ／３Ｇ網２００（第１移動通信網）およびＥ−ＵＴＲＡＮといった３．９Ｇ網３００（第２移動通信網）の両移動通信網を含んで構成される。両移動通信網の一方である２Ｇ／３Ｇ網２００は、移動通信端末１００を含む多数の移動通信端末の位置登録情報や契約情報を含む加入者情報を格納する加入者収容局４００と、移動通信端末１００を含む多数の移動通信端末との間で無線通信を行うＧＥＲＡＮ／ＵＴＲＡＮの無線網２１０と、加入者収容局４００と無線網２１０とに接続されて２Ｇ／３Ｇ網２００を制御する制御部を構成する多数のＭＳＣ／ＶＬＲ２２０Ａとを備えて構成される。このような構成を有する２Ｇ／３Ｇ網２００は、２Ｇ／３Ｇ網に接続する機能を有する移動通信端末に対して、音声通話サービスとデータ通信サービスを提供する。
【００２１】
他方の移動通信網である３．９Ｇ網３００は、２Ｇ／３Ｇ網２００と共通する加入者収容局４００と、移動通信端末１００を含む多数の移動通信端末との間で無線通信を行うＥ−ＵＴＲＡＮの無線網３１０と、加入者収容局４００と無線網３１０とに接続されて３．９Ｇ網３００を制御する制御部を構成する多数のＭＭＥ３２０Ａとを備えて構成される。このような構成を有する３．９Ｇ網３００は、３．９Ｇ網に接続する機能を有する移動通信端末に対して、２Ｇ／３Ｇ網２００より高速なデータ通信サービスを提供する。但し、３．９Ｇ網３００では、回線交換による音声通話サービスは提供されない。なお、図１等では説明を分かり易くするため、２Ｇ／３Ｇ網２００と３．９Ｇ網３００とを明確に分けて記載しているが、実際には、両移動通信網２００，３００が所定の領域中では互いに重なり合うように形成され、そのような重なり合う領域では、両移動通信網２００，３００からのサービスのどちらも受けることができる電波状態になっている。
【００２２】
また、２Ｇ／３Ｇ網２００を制御する多数のＭＳＣ／ＶＬＲ２２０Ａと３．９Ｇ網を制御する多数のＭＭＥ３２０Ａとは、加入者収容局４００にそれぞれが接続されるだけでなく、回線５００を介して互いに接続されており、両移動通信網２００，３００に在圏する移動通信端末の位置登録情報などを互いに対応させられる機能を有している。このため、移動通信端末１００のように両移動通信網２００，３００からの報知情報を受けて両移動通信網２００，３００に接続できる機能を有する移動通信端末では、データ通信サービスを受ける場合には３．９Ｇ網３００に優先的に在圏するようにして高速なデータ通信を行なえ、音声通話サービスを受ける場合には、ＣＳＦＢ（図１のＳ１０１参照）を行って２Ｇ／３Ｇ網２００に在圏して音声通話を行なえるようになっている。なお、２Ｇ／３Ｇ網２００や３．９Ｇ網３００の各移動通信網に接続するにはそれぞれ別の通信機能が必要であり、移動通信端末１００は、両移動通信網２００，３００に接続できる通信機能を有している。
【００２３】
ここで、ＣＳＦＢ対応の移動通信システム１Ａで、ＣＳＦＢ対応の移動通信端末１００が位置登録を行なう手続きについて、図１を参照しながら説明する。まず、ＣＳＦＢ対応の移動通信端末１００から３．９Ｇ網３００のＭＭＥ３２０Ａに対して、ＣＳＦＢ位置登録要求信号を送信する（図１のＳ００１）。ＣＳＦＢ位置登録要求信号を受信したＭＭＥ３２０Ａは、各移動通信端末の位置登録情報や契約情報を含む加入者情報が格納された加入者収容局４００に対して、３．９Ｇ網３００での位置登録を要求する（図１のＳ００２）。位置登録要求を受けた加入者収容局４００は、３．９Ｇ網３００での位置登録を実施し、その後、位置登録を要求した移動通信端末１００の契約情報といった加入者情報をＭＭＥ３２０Ａに対して送信する（図１のＳ００２）。この位置登録の実施により、Ｅ−ＵＴＲＡＮの回線識別子（Ｓ−ＴＭＳＩ）がＭＭＥ３２０Ａで生成されて後述する応答信号に含まれるようになる。応答信号にＥ−ＵＴＲＡＮの回線識別子が含まれることにより、３．９Ｇ網３００での位置登録が完了したことが示される。
【００２４】
また、ＣＳＦＢ位置登録要求信号を受信したＭＭＥ３２０Ａは、回線５００を通じて、ＭＳＣ／ＶＬＲ２２０Ａに対しても位置登録を要求する（図１のＳ００３）。位置登録要求を受けたＭＳＣ／ＶＬＲ２２０Ａは、加入者収容局４００に対して、２Ｇ／３Ｇ網２００での位置登録を要求する（図１のＳ００４）。位置登録要求を受けた加入者収容局４００は、２Ｇ／３Ｇ網２００での位置登録を実施し、その後、位置登録を要求した移動通信端末１００の契約情報といった加入者情報をＭＳＣ／ＶＬＲ２２０Ａに対して送信する（図１のＳ００４）。この位置登録の実施により、ＵＴＲＡＮやＧＥＲＡＮの回線識別子（ＴＭＳＩ，ＣＳ−ＩＭＳＩ）がＭＳＣ／ＶＬＲ２２０Ａで生成される。回線識別子を生成したＭＳＣ／ＶＬＲ２２０Ａは、回線５００を通じて、ＭＭＥ３２０Ａに移動通信端末１００の２Ｇ／３Ｇ網２００における位置登録の応答信号を送信する（図１のＳ００５）。この応答信号には、ＭＳＣ／ＶＬＲ２２０ＡによりＵＴＲＡＮやＧＥＲＡＮの回線識別子（ＴＭＳＩ，ＣＳ−ＩＭＳＩ）が含まれ、この回線識別子が含まれていることにより、２Ｇ／３Ｇ網２００での位置登録が完了したことが示される。
【００２５】
続いて、ＭＭＥ３２０Ａは、ステップＳ００２での位置登録に応じて生成されたＥ−ＵＴＲＡＮの回線識別子と、ステップＳ００５で取得されたＵＴＲＡＮやＧＥＲＡＮの回線識別子との両回線識別子を含む位置登録応答信号を生成する。そして、ＭＭＥ３２０Ａは、その位置登録応答信号を移動通信端末１００に送信する（図１のＳ００６）。これにより、両移動通信網２００，３００からの報知情報を受けることができる移動通信端末１００は、両移動通信網２００，３００に在圏するように設定され、ＣＳＦＢといったような移動通信網の切替を行うことができる。
【００２６】
続いて、ＣＳＦＢ非対応の移動通信システム１について説明する。図２に示されるように、ＣＳＦＢ非対応の移動通信システム１は、両移動通信網２００，３００に在圏する移動通信端末の位置登録情報などを回線５００を通じて互いに対応させる機能を有していない点を除き、ＣＳＦＢ対応の移動通信システム１Ａと同じ構成を有している。ＣＳＦＢ非対応の移動通信システム１では、このような位置登録情報の対応機能がないことにより、２Ｇ／３Ｇ網２００と３．９Ｇ網３００とがそれぞれ独立した移動通信網を形成するようになっている。このようなＣＳＦＢ非対応の移動通信システム１で、ＣＳＦＢ対応の移動通信端末１００が位置登録を行なう手続きについて、図２を参照しながら説明する。なお、図２に示されるＭＳＣ／ＶＬＲ２２０及びＭＭＥ３２０は、位置登録情報の対応機能を除き、図１に示されるＭＳＣ／ＶＬＲ２２０Ａ及びＭＭＥ３２０Ａとそれぞれ同じ構成を有している。
【００２７】
まず、ＣＳＦＢ対応の移動通信端末１００から３．９Ｇ網３００のＭＭＥ３２０に対して、ＣＳＦＢ位置登録要求信号を送信する（図２のＳ００１）。ＣＳＦＢ位置登録要求信号を受信したＭＭＥ３２０は、加入者収容局４００に対して、３．９Ｇ網での位置登録を要求する（図２のＳ００２）。位置登録要求を受けた加入者収容局４００は、３．９Ｇ網３００での位置登録を実施し、その後、位置登録を要求した移動通信端末１００の契約情報といった加入者情報をＭＭＥ３２０に対して送信する（図２のＳ００２）。この位置登録の実施により、ＣＳＦＢ対応の移動通信システム１Ａと同様にＥ−ＵＴＲＡＮの回線識別子が生成される。
【００２８】
続いて、ＣＳＦＢ位置登録要求信号を受信したＭＭＥ３２０は、ＣＳＦＢ対応の移動通信システム１Ａと異なり、位置登録情報の対応機能を備えていないため、２Ｇ／３Ｇ網２００での位置登録要求に係る信号に対する処理を行わない。その結果、２Ｇ／３Ｇ網２００での位置登録が実施されず、ＭＭＥ３２０は、ステップＳ００２での位置登録に応じたＥ−ＵＴＲＡＮの回線識別子のみを含む位置登録応答信号を生成する。そして、ＭＭＥ３２０は、その位置登録応答信号を移動通信端末１００に送信する（図２のＳ００７）。
【００２９】
Ｅ−ＵＴＲＡＮの回線識別子のみを含む位置登録応答信号により、移動通信端末１００は、３．９Ｇ網にのみ在圏するように設定され、上述したような移動通信網の切替を行うことができずに、ＣＳＦＢによる音声通話サービスを受けることができなくなる。なお、ＣＳＦＢ対応の移動通信端末１００は、両移動通信網２００，３００からの報知情報を受信できる通信機能を有しているものの、３．９Ｇ網３００に優先的に在圏するように設定されている。このため、ＣＳＦＢ非対応の移動通信システム１では、移動通信端末１００は、２Ｇ／３Ｇ網２００に在圏する前に３．９Ｇ網３００に在圏してしまい、しかも、２Ｇ／３Ｇ網２００における移動通信端末１００に対する発信の呼出が３．９Ｇ網３００を介して行われないため、２Ｇ／３Ｇ網２００に在圏させることができない。
【００３０】
ところで、本実施形態に係る移動通信端末１００は、このような状態を解消するため、後述する機能を備えており、かかるＣＳＦＢ非対応の移動通信システム１でも、音声通話サービスを受けることができる。以下、ＣＳＦＢ非対応の移動通信システム１でも音声通話サービスを受けることができる移動通信端末１００について詳細に説明する。なお、移動通信端末１００は、前述したように、ＣＳＦＢ対応の移動通信システム１Ａでは、ＣＳＦＢにより、データ通信サービス及び音声通話サービスの両方を受けることができる。
【００３１】
ＣＳＦＢ対応の移動通信端末１００について説明する。図３は、移動通信端末１００のハードウェア構成図である。図３に示すように、移動通信端末１００は、物理的には、ＣＰＵ１１、ＲＡＭ１２およびＲＯＭ１３等の主記憶装置、キーパッド等の操作部１４、移動通信システム１，１Ａと無線通信を行う無線通信部１５、無線通信のためのアンテナ部１６、及び所定の情報を表示して使用者に視覚的に報知するディスプレイ１７を含む通常のコンピュータシステムとして構成される。後述する移動通信端末１００の各機能は、ＣＰＵ１１、ＲＡＭ１２、ＲＯＭ１３等のハードウェア上に所定のコンピュータソフトウェアを読み込ませることにより、ＣＰＵ１１の制御の元で無線通信部１５やディスプレイ１７を動作させると共に、主記憶装置１２，１３におけるデータの読み出しおよび書き込みを行うことで実現される。
【００３２】
図４は、移動通信端末１００の構成概要図である。図４に示すように、移動通信端末１００は、機能的には、ＣＳＦＢ非対応網許容設定部１１０、位置登録要求部（位置登録要求手段）１２０、位置登録応答受け部（位置登録応答受け手段、受信手段）１３０、位置登録判断部（位置登録判断手段、切替可能判断手段）１４０、第１移動通信網切替制御部（第１移動通信網切替制御手段）１５０、第２移動通信網切替制御部（第２移動通信網切替制御手段）１６０、在圏禁止部（在圏禁止手段）１７０、および通信機能切替部（通信機能切替手段）１８０を備えて構成される。また、在圏禁止部１７０は、切替指示信号破棄部（切替指示信号破棄手段）１７５を含んでいる。
【００３３】
このような構成を有する移動通信端末１００は、データ通信及び音声通話を行うことができる２Ｇ／３Ｇ網２００及び２Ｇ／３Ｇ網２００より高速なデータ通信を行うことができる３．９Ｇ網３００の両移動通信網に選択的に在圏可能とされ、データ通信を行う場合には３．９Ｇ網３００に優先的に在圏するように設定されると共に音声通話を行う場合にはＣＳＦＢにより２Ｇ／３Ｇ網２００に在圏するように移動通信網を切替えられるＣＳＦＢに対応した移動通信端末である。また、本実施形態に係るＣＳＦＢ非対応の移動通信システム１では、２Ｇ／３Ｇ網２００と３．９Ｇ網３００とがそれぞれ存在し、しかも、移動通信端末１００が両移動通信網２００，３００からの報知情報それぞれを受信できることから、後述する各機能により音声通話サービスを受ける際には、ＣＳＦＢを行わなくても移動通信端末１００が２Ｇ／３Ｇ網２００に在圏できるようになっている。なお、ローミングした地域によっては、３．９Ｇ網３００のみが存在する移動通信システムの場合もあり、この場合には、当然ながら、音声通話サービスを受けることはできない。移動通信端末１００は、２Ｇ／３Ｇ網２００からの報知情報を受信できないことで、このような音声通話サービスを受けることができない地域であることを判別する。
【００３４】
ＣＳＦＢ非対応網許容設定部１１０は、移動通信端末１００の使用者の位置がＣＳＦＢ対応の移動通信システム１Ａに応じた地域かＣＳＦＢ非対応の移動通信システム１に応じた地域かが分からない場合に、データ通信のみを行なえる通信モードを選択するかどうかを設定させるものである。ＣＳＦＢ非対応網許容設定部１１０は、ローミングするなどして、移動通信端末１００の使用者の位置がＣＳＦＢ対応の移動通信システム１Ａに応じた地域か、または、ＣＳＦＢ非対応の移動通信システム１に応じた地域かが分からない場合に、データ通信のみを行える通信モードを選択するか、または、データ通信及び音声通信の両方を行なえる通信モードを選択するかといった選択枝をディスプレイなどに表示して、使用者の操作により事前に設定させて、その設定された通信モードの設定情報を保持する部分である。保持された通信モードがデータ通信のみを行う通信モードである場合に、仮に在圏する移動通信システムがＣＳＦＢ非対応の移動通信システム１であった場合、３．９Ｇ網３００による高速なデータ通信のみが提供される。
【００３５】
また、保持された通信モードがデータ通信と音声通信の両方を行う通信モードである場合に、在圏する移動通信システムがＣＳＦＢ非対応の移動通信システム１であった場合には、後述する各機能により、２Ｇ／３Ｇ網２００による低速なデータ通信と通常の音声通信とが提供される。また、保持された通信モードがデータ通信と音声通信の両方を行う通信モードである場合に、在圏する移動通信システムがＣＳＦＢ対応の移動通信システム１Ａであった場合には、従来と同様、３．９Ｇ網３００による高速なデータ通信とＣＳＦＢによる通常の音声通信とが提供される。そして、ＣＳＦＢ非対応網許容設定部１１０は、保持された通信モードの設定情報を位置登録判断部１４０に出力する。なお、通信モードの選択の際、移動通信網２００，３００などから発信される報知情報に含まれる事業者ＩＤ（ＰＬＭＮ−ＩＤ）を移動通信端末１００に格納される各事業者におけるＣＳＦＢの対応状況（図５参照）に照らし合わせ、ＣＳＦＢ対応の移動通信システム１Ａと判断された場合に自動的にデータ通信及び音声通信の両方を行なえる通信モードを選択するように設定し、ＣＳＦＢ非対応の移動通信システム１と判断された場合にのみ、ＣＳＦＢ非対応網許容設定部１１０での上述した通信モードの選択を使用者に促すような設定にしてもよい。
【００３６】
位置登録要求部１２０は、両移動通信網２００，３００でのＣＳＦＢの位置登録の要求を３．９Ｇ網３００に対して行うものである。位置登録要求部１２０は、２Ｇ／３Ｇ網２００及び３．９Ｇ網３００の両移動通信網それぞれでＣＳＦＢの位置登録するためのＣＳＦＢ位置登録要求を３．９Ｇ網３００のＭＭＥ３２０に対して行う（図１、図２のＳ００１参照）。なお、位置登録要求部１２０は、２Ｇ／３Ｇ網２００に対して直接、個別の位置登録の要求を行なう機能も備えている。
【００３７】
位置登録応答受け部１３０は、両移動通信網２００，３００でのＣＳＦＢの位置登録の結果を示す位置登録応答を受けるものである。位置登録応答受け部１３０は、位置登録要求部１２０によるＣＳＦＢの位置登録の要求に応じ、両移動通信網２００，３００でのＣＳＦＢの位置登録の結果を示す位置登録応答を３．９Ｇ網３００のＭＭＥ３２０から受ける（図１のＳ００６、図２のＳ００７）。位置登録応答受け部１３０は、受けた位置登録応答を位置登録判断部１４０に出力する。
【００３８】
位置登録判断部１４０は、両移動通信網２００，３００のうち３．９Ｇ網３００のみで位置登録が完了したか否かを判断することで、移動通信端末１００がＣＳＦＢ非対応の移動通信システム１に在圏しているか否かを判断するものである。位置登録判断部１４０は、データ通信及び音声通信の両方を行なえる通信モードを選択するなどの設定情報をＣＳＦＢ非対応網許容設定部１１０から受け、位置登録応答受け部１３０から位置登録応答が入力されると、まずは、位置登録応答受け部１３０から入力された位置登録応答に含まれる回線識別子を抽出する。位置登録判断部１４０は、抽出された回線識別子がＥ−ＵＴＲＡＮの回線識別子（Ｓ−ＴＭＳＩ）のみであるか否かを確認し、Ｅ−ＵＴＲＡＮの回線識別子のみであれば、両移動通信網のうち３．９Ｇ網３００のみで位置登録が完了されたと判断し、在圏中の移動通信システムがＣＳＦＢ非対応の移動通信システム１であると判断する。なお、抽出された回線識別子にＵＴＲＡＮやＧＥＲＡＮの回線識別子（ＴＭＳＩ，ＣＳ−ＩＭＳＩ）が含まれれば、２Ｇ／３Ｇ網２００での位置登録も完了したことが示されることから、この場合、位置登録判断部１４０は、在圏中の移動通信網がＣＳＦＢ対応の移動通信システム１Ａであると判断する。位置登録判断部１４０は、在圏中の移動通信システムがＣＳＦＢ非対応の移動通信システム１であり、且つ、ＣＳＦＢ非対応網許容設定部１１０からの設定情報がデータ通信及び音声通信の両方を行なえる通信モードを選択するといったものであった場合、移動通信網の切替指示信号を第１移動通信網切替制御部１５０に対して出力する。
【００３９】
第１移動通信網切替制御部１５０は、ＣＳＦＢ非対応の移動通信システム１に在圏中であると判断された場合に、移動通信端末１００が２Ｇ／３Ｇ網２００に在圏するように自動的に移動通信網を切替える切替制御（Automatic PLMN Selection）を行うものである。第１移動通信網切替制御部１５０は、位置登録判断部１４０から切替指示信号が入力されると、在圏中の３．９Ｇ網３００（加入者収容局４００含む）に対して、移動通信網を２Ｇ／３Ｇ網２００に強制的に切替える切替指示信号を送信して、移動通信網の切替制御処理を行い、移動通信端末１００が２Ｇ／３Ｇ網２００に在圏するようにさせる。この移動通信網の切替制御処理は、従来の移動通信網の切替制御処理と同様の方法によって行われる。
【００４０】
第２移動通信網切替制御部１６０は、移動通信網を３．９Ｇ網に切替える切替制御を行うものである。第２移動通信網切替制御部１６０は、第１移動通信網切替制御部１５０で２Ｇ／３Ｇ網２００へ移動通信網を切替えた後、再度、３．９Ｇ網に移動通信網を切替える再切替の指示信号を加入者収容局４００から受信する。再切替の指示信号を受信した第２移動通信網切替制御部１６０は、その切替指示信号に基づいて移動通信端末１００が３．９Ｇ網に在圏するように移動通信網を切替える制御を行う。なお、移動通信端末１００が３．９Ｇ網３００を用いた通信機能をオン状態にしているかぎり、この再切替の指示信号は、移動通信端末１００が１つのＭＳＣ／ＶＬＲ２２０が管理する無線網を越えて隣接するＭＳＣ／ＶＬＲ２２０が管理する無線網に移動した都度、加入者収容局４００から送信される。
【００４１】
在圏禁止部１７０は、第１移動通信網切替制御部１５０によって２Ｇ／３Ｇ網２００に在圏する際、移動通信端末１００が３．９Ｇ網に在圏するように移動通信網の切替を行なうことを禁止するものである。この在圏禁止部１７０は、例えば、切替指示信号破棄部１７５を備えており、切替指示信号破棄部１７５は、第２移動通信網切替制御部１６０で移動通信端末１００が在圏する移動通信網を３．９Ｇ網３００に切替える制御を行う前に、第２移動通信網切替制御部１６０が受信した再切替の指示信号を破棄させる処理を行う。この破棄処理は、切替指示信号を受信するたびに行なわれ、この破棄処理により、移動通信端末１００は、３．９Ｇ網３００側での発信が規制され、２Ｇ／３Ｇ網２００に継続的に在圏できるようになる。なお、移動通信端末１００が２Ｇ／３Ｇ網２００から圏外あるいは移動通信端末１００の電源がオフとなった際でも３．９Ｇ網へ遷移しないように、移動通信端末１００は、３．９Ｇ網への切替を禁止する情報を保持して管理するようになっている。
【００４２】
通信機能切替部１８０は、移動通信端末１００が有する３．９Ｇ網３００を用いた通信機能をオフに切替えるものである。通信機能切替部１８０は、位置登録判断部１４０で、ＣＳＦＢ非対応の移動通信システム１に在圏中であり、且つ、ＣＳＦＢ非対応網許容設定部１１０からの設定情報がデータ通信及び音声通信の両方を行なえる通信モードを選択するといったものであると判断された場合、移動通信端末１００が有する３．９Ｇ網３００を用いた通信機能をオン状態からオフ状態に切替える。そして、３．９Ｇ網を用いた通信機能をオフ状態に切替えた移動通信端末１００は、３．９Ｇ網３００から報知情報などを一切受信することができなくなり、上述した再切替信号の受信が停止される。この結果、ＣＳｆａｌｌｂａｃｋ非対応のような移動通信網において、データ通信及び音声通話を行うことができる第１移動通信網への移動通信端末の在圏を安定的に継続させることができ、ＣＳｆａｌｌｂａｃｋ対応の移動通信端末で音声通話サービスを継続して安定的に受けることができる。
【００４３】
通信機能切替部１８０で移動通信端末１００が有する３．９Ｇ網３００を用いた通信機能をオン状態からオフ状態に切替えることで、移動通信端末１００が１つのＭＳＣ／ＶＬＲ２２０が管理する無線網を越えて隣接するＭＳＣ／ＶＬＲ２２０が管理する無線網に移動した場合でも、再切替信号の受信が停止される。また、通信機能切替部１８０で３．９Ｇ網３００を用いた通信機能をオフとした切替情報を移動通信端末１００内に格納しておくことにより、移動通信端末１００の電源が一旦、オフされた後にオンされた場合でも、移動通信端末１００が受信する報知情報に含まれる事業者ＩＤが同じであれば、当該機能をオフにしたままとして、移動通信端末１００は、２Ｇ／３Ｇ網２００に在圏するようになる。これにより、移動通信端末１００は、２Ｇ／３Ｇ網２００に継続的に安定して在圏できるようになる。
【００４４】
ここで、ローミングするなどして、移動通信端末１００の使用者の位置がＣＳＦＢ対応の移動通信システム１Ａに応じた地域かＣＳＦＢ非対応の移動通信システム１に応じた地域かが分からない場合に、移動通信端末１００をいずれかの網に在圏させるかの処理について、図６を参照しながら説明する。図６は、移動通信端末１００のモード設定処理を示すフローチャートである。なお、操作に使用される移動通信端末１００は、ＣＳＦＢ対応の移動通信システム１Ａに対応する機能を有すると共に、各移動通信網２００，３００に個別に対応する機能を備えている。
【００４５】
まず、移動通信端末１００が、ローミングを行なうことができる通信エリア等において、移動通信端末１００の電源をオンにするなどした場合に、移動通信端末１００が報知情報を受信することにより、移動通信システムが両移動通信網２００，３００を含むか否か判別する。両移動通信網２００，３００を含む移動通信システムと判別された場合には、続いて、移動通信端末１００の通信モードとして、データ通信のみを行える通信モードを選択するか、または、データ通信及び音声通信の両方を行なえる通信モードを選択するかといった２つの選択枝をＣＳＦＢ非対応網許容設定部１１０によりディスプレイに表示させる。その表示に対する使用者の操作で、いずれかの通信モードが選択された場合、ＣＳＦＢ非対応網許容設定部１１０により、その選択により設定情報が保持される（Ｓ５０１）。なお、設定情報は、その後、位置登録判断部１４０に出力される。また、上記の設定はあらかじめ行なわれていてもよい。
【００４６】
ステップＳ５０１で通信モードの選択についての設定情報が保持されたら、続いて、位置登録要求部１２０により、移動通信端末１００の位置登録要求が両移動通信網２００，３００を含む移動通信システムに対して行なわれる（ステップＳ５０２）。両移動通信網２００，３００を含む移動通信システムから、この位置登録要求部１２０による位置登録要求に応じた位置登録応答を位置登録応答受け部１３０により受けると、この位置登録応答に含まれる回線識別子が位置登録判断部１４０により抽出される。
【００４７】
抽出された回線識別子にＥ−ＵＴＲＡＮの回線識別子のみが含まれている場合には、位置登録判断部１４０により、ＣＳＦＢ非対応の移動通信システム１に応じた地域と判断され、抽出された回線識別子にＵＴＲＡＮやＧＥＲＡＮの回線識別子とＥ―ＵＴＲＡＮの回線識別子の両方が含まれている場合には、位置登録判断部１４０により、ＣＳＦＢ対応の移動通信システム１に応じた地域と判断される（Ｓ５０３）。
【００４８】
ステップＳ５０３での判断の結果、ＣＳＦＢ非対応の移動通信システム１に応じた地域と判断された場合、ステップＳ５０４に進み、ＣＳＦＢ非対応網許容設定部１１０で設定された選択情報を位置登録判断部１４０により確認する。そして、データ通信及び音声通信の両方を行なえる通信モードを選択するといった選択情報であった場合、ステップＳ５０５に進み、第１移動通信網切替制御部１５０により、移動通信端末１００が在圏している移動通信網を２Ｇ／３Ｇ網２００に在圏するように切り替える切替制御を行って設定する（Ｓ５０５）。
【００４９】
一方、位置登録判断部１４０で確認した選択情報がデータ通信のみを行う通信モードを選択するといったものであった場合、ステップＳ５０６に進み、３．９Ｇ網３００に在圏して、データ通信のみを行うモードに登録される（Ｓ５０６）。なお、ステップＳ５０３での判断の結果、ＣＳＦＢ対応の移動通信システム１Ａに応じた地域と判断された場合、ステップＳ５０７に進み、ＣＳＦＢ非対応網許容設定部１１０で設定された選択情報に係わらずに、データ通信を行う場合には３．９Ｇ網に在圏し、音声通話を行なう場合にＣＳＦＢを行って２Ｇ／３Ｇ網に在圏するように登録される。
【００５０】
ステップＳ５０５で移動通信端末１００が２Ｇ／３Ｇ網２００に在圏するように切替える切替制御が行われた後、移動通信端末１００が１つのＭＳＣ／ＶＬＲ２２０が管理する無線網から隣接するＭＳＣ／ＶＬＲ２２０が管理する無線網に移動された場合、移動通信端末１００が３．９Ｇ網に在圏するように切替える再切替指示信号が加入者収容局４００から移動通信端末１００に送信される。移動通信端末１００でこの再切替指示信号が受信されると、従来であれば、第２移動通信網切替制御部１６０により在圏する移動通信網の３．９Ｇ網３００への再切替え処理が行われるが、本実施形態では、在圏禁止部１７０の切替指示信号破棄部１７５により、この再切替指示信号が破棄されるようになっている。さらに、必要に応じて通信機能切替部１８０を用いれば、移動通信端末１００が有する３．９Ｇ網を用いた通信機能がオン状態からオフ状態へと切替えられる。オフ状態に切替えられた移動通信端末１００は、３．９Ｇ網３００から報知情報などを一切受信することができなくなり、上述した再切替信号の受信が停止される。その結果、移動通信端末１００は、２Ｇ／３Ｇ網２００に継続的に安定して在圏できるようになる。
【００５１】
本実施形態によれば、上述した構成により、第１移動通信網切替制御部１５０は、移動通信端末１００が２Ｇ／３Ｇ網２００に在圏するように移動通信網の切替制御を行うことができる。このような切替制御により、データ通信を行う際などに優先的に位置登録される３．９Ｇ網３００への在圏ではなくて、その時点では位置登録されていない２Ｇ／３Ｇ網２００へ在圏するように移動通信網の切替えを行うことができ、移動通信端末１００は、データ通信だけでなくて音声通話を行うこともできる。すなわち、ＣＳＦＢ非対応のように音声通話サービスが受けられない場合もある移動通信システム１において、ＣＳＦＢ対応の移動通信端末１００で音声通話サービスを適切に受けることができる。
【００５２】
また、本実施形態によれば、上述した構成により、位置登録応答といった既存の情報を利用して３．９Ｇ網３００がＣＳＦＢ対応の移動通信網であるか否かを簡単に判別できる。
【００５３】
［第２実施形態］
次に、本発明の第２実施形態について説明する。本実施形態は、３．９Ｇ網３００からの報知情報を用いて、３．９Ｇ網３００を含む移動通信システムがＣＳＦＢ非対応の移動通信網であるか否かを判断する点で、第１実施形態と異なっている。まず、本実施形態に係る移動通信端末６００で音声通話サービスやデータ通信サービスの提供を受けるための移動通信網について、図１及び図２を参照して説明する。
【００５４】
最初に、ＣＳＦＢ対応の移動通信システム１Ｂについて説明する。本実施形態に係る移動通信システム１Ｂは、図１に示されるように、無線網３１０Ｂを除いて第１実施形態の移動通信システム１Ａと同様であり、無線網２１０とＭＳＣ／ＶＬＲ２２０Ａと加入者収容局４００とからなる２Ｇ／３Ｇ網２００、及び、無線網３１０ＢとＭＭＥ３２０Ａと加入者収容局４００とからなる３．９Ｇ網３００の両移動通信網を含んで構成される。そして、無線網２１０を構成する各無線基地局及び無線網３１０Ｂを構成する各無線基地局それぞれは、移動通信端末６００が位置登録する際に必要となる報知情報を発信する機能を備えている。
【００５５】
両無線網２１０，３１０Ｂから発信される報知情報には、国番号、事業者ＩＤ、及び基地局情報が含まれる。国番号は、基地局が位置している（あるいはサービスの提供を受ける）国を示す番号であり、事業者ＩＤは、通信サービスを提供する通信事業者を示すコード情報であり、基地局情報は、複数ある基地局を特定するための識別情報である。また、本実施形態に係る無線網３１０Ｂの各無線基地局から発信される報知情報には、第１実施形態と異なり、上述した国番号、事業者ＩＤ、及び基地局情報に加え、３．９Ｇ網３００がＣＳＦＢ対応の移動通信網（切替可能移動通信網）であることを示す網切替可能情報が含まれている。網切替可能情報は、３．９Ｇ網３００が、３．９Ｇ網３００に在圏中に音声通話の呼出があった場合に２Ｇ／３Ｇ網２００に在圏するように移動通信網を切替えられる切替可能な移動通信網であることを示す情報であり、例えば、あらかじめ定められたフラグを報知情報に含ませることにより実現される。
【００５６】
次に、ＣＳＦＢ非対応の移動通信システム１について説明する。本実施形態に係る移動通信システム１は、図２に示されるように、第１実施形態の移動通信システム１と同様の構成である。そして、ＣＳＦＢ対応の移動通信システム１Ｂと同様に、ＣＳＦＢ非対応の移動通信システム１では、両無線網２１０，３１０を構成する各基地局から、国番号、事業者ＩＤ、及び基地局情報が含まれる報知情報が発信される。無線網３１０を構成する各基地局からの報知情報には、３．９Ｇ網３００がＣＳＦＢ対応の移動通信網であることを示す網切替可能情報が含まれていない。なお、無線網３１０Ｂ，３１０を構成する各無線基地局からの報知情報は、３．９Ｇ網３００の機能を示す網情報となっている。この網情報には、第１実施形態におけるＭＭＥ３２０Ａからの位置登録応答信号も相当する。
【００５７】
続いて、ＣＳＦＢ対応の移動通信端末６００について説明する。なお、移動通信端末６００のハードウェア構成は、図３に示されるように、第１実施形態と同様である。図７は、移動通信端末６００の構成概要図である。図７に示すように、移動通信端末６００は、機能的には、ＣＳＦＢ非対応網許容設定部１１０、報知情報受信部（受信手段）６２０、網切替可能判断部（切替可能判断手段）６４０、第１移動通信網切替制御部１５０、第２移動通信網切替制御部１６０、在圏禁止部１７０、及び通信機能切替部１８０を備えて構成される。また、在圏禁止部１７０は、切替指示信号破棄部１７５を含んでいる。
【００５８】
報知情報受信部６２０は、両移動通信網２００、３００からの報知情報を受信するものである。報知情報受信部６２０は、２Ｇ／３Ｇ網２００を構成する各無線基地局から発信される報知情報と、３．９Ｇ網３００を構成する各無線基地局から発信される報知情報との両報知情報を受信する。報知情報を受信した報知情報受信部６２０は、移動通信端末６００の位置登録を行うための位置登録部（不図示）に両報知情報を送信すると共に、３．９Ｇ網３００からの報知情報のみを網切替可能判断部６４０に送信する。
【００５９】
網切替可能判断部６４０は、３．９Ｇ網３００からの報知情報に基づいて、移動通信端末６００がＣＳＦＢ非対応の移動通信システム１に在圏しているか否かを判断するものである。網切替可能判断部６４０は、報知情報受信部６２０から３．９網３００からの報知情報を受信すると、受信した報知情報に、自網がＣＳＦＢ対応の移動通信網であることを示す網切替可能情報が含まれているか否かを確認する。そして、網切替可能判断部６４０は、報知情報に網切替可能情報が含まれている場合には、３．９Ｇ網３００がＣＳＦＢに対応する移動通信網であると判断し、報知情報に網切替可能情報が含まれていない場合には、３．９Ｇ網３００がＣＳＦＢに対応していない移動通信網であると判断する。
【００６０】
網切替可能判断部６４０は、ＣＳＦＢに対応しているか否かの判断結果を第１移動通信網切替制御部１５０及び位置登録部に対して出力する。ＣＳＦＢ非対応との判断結果が入力された第１移動通信網切替制御部１５０は、在圏中の３．９Ｇ網３００に対して、移動通信網を２Ｇ／３Ｇ網２００に強制的に切替える切替指示信号を送信して、移動通信網の切替制御処理を行う。一方、第１移動通信網切替制御部１５０は、ＣＳＦＢ対応との判断結果が入力された場合には、移動通信網の切替制御処理を行わない。なお、自網のＣＳＦＢへの対応可否についての判断結果が入力された位置登録部は、自網がＣＳＦＢ対応の移動通信網と判断された場合には、２Ｇ／３Ｇ網２００に係る基地局及び３．９Ｇ網３００に係る基地局の識別情報（位置情報）を抽出し、その識別情報で特定される両基地局に端末固有の識別番号を送信して、無線通信のための位置登録を両移動通信網で行なう。一方、自網がＣＳＦＢ非対応の移動通信網と判断された場合には、位置登録部は、ＣＳＦＢ非対応網許容設定部１１０でのモード設定に応じて、データ通信及び音声通話を行う場合には２Ｇ／３Ｇ網２００に係る基地局の識別情報を、高速のデータ通信のみ行う場合には３．９Ｇ網３００に係る基地局の識別情報を抽出する。そして、抽出された識別情報で特定される基地局に端末固有の識別番号を送信して、無線通信のための位置登録を一方の移動通信網で行なう。
【００６１】
ここで、ローミングするなどして、移動通信端末６００の使用者の位置がＣＳＦＢ対応の移動通信システム１Ｂに応じた地域かＣＳＦＢ非対応の移動通信システム１に応じた地域かが分からない場合に、移動通信端末６００をいずれかの網に在圏させるかの処理について、図８を参照しながら説明する。図８は、移動通信端末６００のモード設定処理を示すフローチャートである。
【００６２】
まず、移動通信端末６００が、ローミングを行なうことができる通信エリア等において、移動通信端末６００の電源をオンにするなどした場合に、移動通信端末６００の報知情報受信部６２０により、２Ｇ／３Ｇ網２００からの報知情報と３．９Ｇ網３００からの報知情報とが受信される（Ｓ８０１）。報知情報受信部６２０は、受信した両報知情報を位置登録部に送信すると共に、受信した３．９Ｇ網３００からの報知情報のみを網切替可能判断部６４０に送信する。なお、両報知情報が受信された場合には、移動通信システムが両移動通信網２００，３００を含むと判別される。
【００６３】
両移動通信網２００，３００を含む移動通信システムと判別された場合には、続いて、移動通信端末６００の通信モードとして、データ通信のみを行える通信モードを選択するか、または、データ通信及び音声通信の両方を行える通信モードを選択するかといった２つの選択枝をＣＳＦＢ非対応網許容設定部１１０によりディスプレイに表示させる。その表示に対する使用者の操作で、いずれかの通信モードが選択された場合、ＣＳＦＢ非対応網許容設定部１１０により、その選択により設定情報が保持される（Ｓ８０２）。なお、設定情報は、その後、網切替可能判断部６４０に出力される。また、上記の設定はあらかじめ行なわれていてもよい。
【００６４】
３．９Ｇ網３００からの報知情報が網切替可能判断部６４０で受信されたら、続いて、網切替可能判断部６４０により、３．９Ｇ網３００からの報知情報に、ＣＳＦＢ対応の移動通信網であることを示す網切替可能情報が含まれているか否かを確認する。確認の結果、報知情報に網切替可能情報が含まれていない場合には、網切替可能判断部６４０により、ＣＳＦＢ非対応の移動通信システム１Ｂに応じた地域と判断され、報知情報に網切替可能情報が含まれていた場合には、網切替可能判断部６４０により、ＣＳＦＢ対応の移動通信システム１に応じた地域と判断される（Ｓ８０３）。
【００６５】
ステップＳ８０３での判断の結果、ＣＳＦＢ非対応の移動通信システム１に応じた地域と判断された場合、ステップＳ８０４に進み、ＣＳＦＢ非対応網許容設定部１１０で設定された選択情報を網切替可能判断部６４０により確認する。そして、データ通信及び音声通信の両方を行なえる通信モードを選択するといった選択情報であった場合、ステップＳ８０５に進み、第１移動通信網切替制御部１５０により、移動通信端末６００が在圏している移動通信網を２Ｇ／３Ｇ網２００に在圏するように切り替える切替制御を行って設定する（Ｓ８０５）。
【００６６】
一方、網切替可能判断部６４０で確認した選択情報がデータ通信のみを行う通信モードを選択するといったものであった場合、ステップＳ８０６に進み、３．９Ｇ網３００に在圏するように位置登録が行われ、データ通信のみを行うモードに登録される（Ｓ８０６）。なお、ステップＳ８０３での判断の結果、ＣＳＦＢ対応の移動通信システム１Ｂに応じた地域と判断された場合、ステップＳ８０７に進み、ＣＳＦＢ非対応網許容設定部１１０で設定された選択情報に係わらずに、データ通信を行う場合には３．９Ｇ網に在圏するように位置登録が行われ、音声通話を行なう場合にＣＳＦＢを行って２Ｇ／３Ｇ網に在圏するように位置登録される。なお、ステップＳ８０５で移動通信端末６００が２Ｇ／３Ｇ網２００に在圏するように切替える切替制御が行われた後の処理は、第１実施形態と同様である。
【００６７】
本実施形態によれば、上述した構成により、第１移動通信網切替制御部１５０は、移動通信端末６００が２Ｇ／３Ｇ網２００に在圏するように移動通信網の切替制御を行うことができる。このような切替制御により、データ通信を行う際などに優先的に位置登録される３．９Ｇ網３００への在圏ではなくて、その時点では位置登録されていない２Ｇ／３Ｇ網２００へ在圏するように移動通信網の切替えを行うことができ、移動通信端末６００は、データ通信だけでなくて音声通話を行うこともできる。すなわち、ＣＳＦＢ非対応のように音声通話サービスが受けられない場合もある移動通信網において、ＣＳＦＢ対応の移動通信端末６００で音声通話サービスを適切に受けることができる。しかも、網切替可能判断部６４０は、報知情報に基づいて３．９Ｇ網３００がＣＳＦＢ対応の移動通信網であるか否かを判断することから、報知情報といった既存の情報配信を利用して３．９Ｇ網３００がＣＳＦＢ対応の移動通信網であるか否かを簡単に早く判別できる。
【００６８】
以上、本発明をその実施形態に基づき具体的に説明したが、本発明は、上記実施形態に限定されるものではない。例えば、第１実施形態では、ＣＳＦＢ非対応の移動通信システム１であるかどうかを、位置登録要求に対する位置登録応答にＥ−ＵＴＲＡＮの回線識別子とＵＴＲＡＮやＧＥＲＡＮの回線識別子とが含まれているかどうかで判断するようにしていたが、位置登録要求に対する位置登録応答にＣＳＦＢ非対応の移動通信網であることを示すその他の情報が含まれているかどうかで判断するようにしてもよい。
【００６９】
また、上記実施形態では、ＣＳＦＢ非対応の移動通信システム１であると判断された場合、第１移動通信網切替制御部１５０により自動的に２Ｇ／３Ｇ網に切り替える切替制御を行うようにしているが、この切替制御を手動（Manual PLMN Selection）で行えるようにしてもよい。この場合、移動通信端末１００，６００は、３．９Ｇ網３００のみで位置登録が完了したとの位置登録判断部による判断や３．９Ｇ網３００が切替可能な移動通信網でないとの網切替可能判断部による判断を移動通信端末１００，６００の使用者に対して通知する通知部と、通知部による通知に応じて、移動通信端末１００，６００が２Ｇ／３Ｇ網２００に在圏するように移動通信網の切替制御を行うか否かの入力を使用者から受け付ける入力受付部とを備えている。上記の通知は、例えば、切替制御を行わないと音声通話ができない旨の表示をすることにより行なわれる。そして、移動通信端末１００，６００の第１移動通信網切替制御部１５０は、移動通信端末１００，６００が２Ｇ／３Ｇ網２００に在圏するように移動通信網の切替制御を行うとの使用者からの入力を入力受付部で受け付けた場合に、移動通信端末１００，６００が２Ｇ／３Ｇ網２００に在圏するように移動通信網の切替制御を行う。これにより、移動通信端末１００，６００の２Ｇ／３Ｇ網２００への切替を、移動通信端末１００，６００の使用者に選択させることができる。なお、上記実施形態では、ＣＳＦＢの場合で説明したが、本発明に係る移動通信端末１００，６００は、本発明の趣旨を逸脱しない範囲で他にも適用され、ＣＳＦＢの場合に限定されない。
【符号の説明】
【００７０】
１…ＣＳＦＢ非対応の移動通信システム、１００，６００…移動通信端末、１２０…位置登録要求部、１３０…位置登録応答受け部、１４０…位置登録判断部、１５０…第１移動通信網切替制御部、１６０…第２移動通信網切替制御部、１７０…在圏禁止部、１７５…切替指示信号破棄部、１８０…通信機能切替部、２００…２Ｇ／３Ｇ網、３００…３．９Ｇ網、６２０…報知情報受信部、６４０…網切替可能判断部。
【図１】
2010063151.tif 000003
【図２】
2010063151.tif 000004
【図３】
2010063151.tif 000005
【図４】
2010063151.tif 000006
【図５】
2010063151.tif 000007
【図６】
2010063151.tif 000008
【図７】
2010063151.tif 000009
【図８】
2010063151.tif 000010
【図９】
2010063151.tif 000011